(57)【要約】【課題】化粧方法に関し、特殊な化粧道具を使わなくても、写真を修整して化粧を直さなくてもよい仕上がりにすることができるマスカラ及び口紅の塗布方法を提供する。【解決手段】口紅用の平筆１でマスカラを塗るようにして、マスカラブラシのようにマスカラブラシをまつ毛の根元に当てながら左右に揺らすように動かすことなくマスカラを塗り、マスカラをだまになりにくく、まつ毛を束になりにくくする。さらに、マスカラをまつ毛の中央から目頭又は目じりの順番で塗るようにして、自然にまつ毛の中央を濃い仕上がりにして、黒目をはっきり大きく見えさせる。また、アイシャドウ用のチップで口紅を塗るようにして、口紅に指紋を付けさせない。【選択図】図１
2014140572.tif 000002
【特許請求の範囲】
【請求項１】
化粧方法であって、マスカラを口紅用の平筆で塗ることを特徴とするマスカラの塗布方法。
【請求項２】
マスカラをまつ毛の中央から目頭又は目じりの順番で塗ることを特徴とする請求項１に記載のマスカラの塗布方法。
【請求項３】
化粧方法であって、口紅をアイシャドウ用のチップで塗ることを特徴とする口紅の塗布方法。
【発明の詳細な説明】
【技術分野】
【０００１】
この発明は、化粧方法に関し、特に、写真を修整して化粧を直さなくてもよい仕上がりにすることができるマスカラ及び口紅の塗布方法に関する。
【背景技術】
【０００２】
マスカラの塗布方法としては、ブラシ部の外径が先端に向かってシゴキ孔径よりも小さくなるように形成されたマスカラブラシを使って、ブラシ部の先端部に付着したマスカラ化粧料に含まれる繊維をまつげに塗布し、その繊維をブラシの中央部を利用してまつ毛の先端から延び出すように整列させて、まつ毛を長く見せようとするものが提案されている（例えば、特許文献１参照）。
【０００３】
一般的なマスカラの塗布方法としては、マスカラ液を付けたマスカラブラシをまつ毛の根元に当てながら左右に揺らすように動かしてから、マスカラブラシを毛先に向かってすっと抜くようにして、まつ毛にボリュームを持たせるようにしている。
【０００４】
また、一般的な口紅の塗布方法としては、特に唇の輪郭をぼかした、いわゆるナチュラルメイクの場合には、口紅を取ったリップブラシを下唇の中央に乗せ、口紅を徐々に広げるように伸ばしてから、指先で唇の中央から外側に向かって軽くたたくようになじませて、より自然な印象にしている。
【０００５】
マスカラや口紅の塗布方法ではないものの、顔面に粉末化粧料を塗布した後、特殊なフェイスブラシを用い、その側面でブラシ毛のコシを使いながら少しずつ回転させつつ一方の方向に動かして粉末化粧料を密着させて、メークアップアーテストなどが行うような自然な仕上がりが得られる化粧方法が提案されている（例えば、特許文献２参照）。
【先行技術文献】
【特許文献】
【０００６】
【特許文献１】特開２００３−７０５３７号公報（段落０００６，０００９，００１９、図５，６）
【特許文献２】特開２００６−６９９０２号公報（段落０００５，０００７、図２）
【発明の概要】
【発明が解決しようとする課題】
【０００７】
しかしながら、前記特許文献１に係るマスカラの塗布方法では、ブラシ部の先端にマスカラ化粧料に含まれる繊維を集められるようにしたマスカラブラシを使って、ブラシの先端に集められた繊維をまつ毛に付着させているために、マスカラ化粧料に含まれる繊維がまつ毛に付き過ぎてマスカラがだまになりやすい。また、前記特許文献１に係るマスカラの塗布方法では、ブラシの先端に集められた繊維をまつ毛に付着させてから、付着した繊維をブラシの中央部を利用してまつ毛の先端から延び出すように整えているために、付き過ぎたマスカラによってまつ毛が束になりやすい。
【０００８】
一般的なマスカラの塗布方法では、マスカラブラシの間にまつ毛を沈み込ませるために、マスカラブラシをまつ毛の根元に当てながら左右に揺らすように動かしているところ、マスカラブラシを左右に揺らすように動かすとマスカラがだまになりやすい。
【０００９】
そして、マスカラがだまになったままや、まつ毛が束になったままで写真を撮影すると、写真にマスカラのだまや束になったまつ毛が写ってしまう。
【００１０】
また、一般的な口紅の塗布方法では、特にナチュラルメイクの場合には、指先で唇の中央から外側に向かって軽くたたくように口紅をなじませているために、口紅に指紋が残ってしまう。
【００１１】
そして、口紅に指紋が残ったままで写真を撮影すると、写真に口紅に残った指紋が写ってしまう。
【００１２】
前記特許文献２に係る化粧方法では、特殊なフェイスブラシを用いているために、そのフェイスブラシを入手しなくてはその化粧方法を行うことができない。
【００１３】
そこで、この発明では、前記した課題を解決し、特殊な化粧道具を使わなくても、写真を修整して化粧を直さなくてもよい仕上がりにすることができるマスカラ及び口紅の塗布方法を提供することを目的とする。
【課題を解決するための手段】
【００１４】
前記課題を解決するため、請求項１に係る発明では、マスカラを口紅用の平筆で塗るようにした。
【００１５】
請求項２に係る発明では、マスカラをまつ毛の中央から目頭又は目じりの順番で塗るようにした。
【００１６】
請求項３に係る発明では、口紅をアイシャドウ用のチップで塗るようにした。
【発明の効果】
【００１７】
請求項１に係る発明によれば、口紅用の平筆でマスカラを塗るようにしたので、マスカラがだまになりにくい。つまり、マスカラブラシでは、マスカラブラシの間にまつ毛を沈み込ませるために、マスカラブラシをまつ毛の根元に当てながら左右に揺らすように動かしているところ、口紅用の平筆では、平筆の先端をまつ毛の根元に当てるとまつ毛の間に筆の毛が入り込むため、平筆の先端をまつ毛の根元からから先端に向かってなでるように動かすだけでマスカラを塗ることができる。そのため、口紅用の平筆では、マスカラブラシのように、マスカラブラシをまつ毛の根元に当てながら左右に揺らすように動かさなくてもよく、マスカラがだまになりにくく、まつ毛も束になりにくい。
【００１８】
請求項２に係る発明によれば、マスカラをまつ毛の中央から目頭又は目じりの順番で塗るようにしたので、自然にまつ毛の中央が濃い仕上がりになり、黒目がはっきり大きく見える。
【００１９】
請求項３に係る発明によれば、アイシャドウ用のチップで口紅を塗るようにしたので、口紅に指紋が付かず、口紅に指紋が残らない。
【００２０】
請求項１から請求項３に係る発明によれば、口紅用の平筆やアイシャドウ用のチップといった一般的な化粧道具を利用するので、特殊な化粧道具を使わなくてもよい。
【図面の簡単な説明】
【００２１】
【図１】実施形態に係るマスカラの塗布方法の説明図である。
【図２】実施形態に係る口紅の塗布方法の説明図である。
【発明を実施するための形態】
【００２２】
まず、この発明の創作の基礎となる事項について簡単に説明する。発明者は、多くの女性誌やＣＭ、映画のヘアメイク監修などで活躍するヘア＆メイクアップアーティストである。そして、発明者のおしゃれでナチュラルに仕上げるメイクテクニックは、多くの女優やモデルから支持を集めている。
【００２３】
ここで、女性誌やＣＭ、映画の撮影現場では、カメラの高画質化が進み、顔の細かいところまで鮮明に描写できるようになったことから、化粧についてもより美しい仕上がりが求められるようになった。しかし、マスカラはだまになりやすく、口紅には指紋が残りやすいことから、一般には写真を修整してだまや指紋を消している。
【００２４】
発明者は、一般には写真を修整してマスカラのだまを消しているところ、つまようじを利用してマスカラのだまを取り除くなど化粧方法を工夫することで、なるべく写真を修整しなくてもよい仕上がりにするよう努めていた。そして、発明者は、別の化粧道具を利用することで、例えば指先で口紅をなじませているところ、指先と同じような大きさや感触の化粧道具を利用することで、従来の化粧方法による不具合を解消できることを見いだし、この発明を創作するに至ったものである。
【００２５】
次に、この発明の実施形態について、適宜図面を参照しながら詳細に説明する。図１は、実施形態に係るマスカラの塗布方法の説明図である。
【００２６】
図１に示すように、実施形態に係るマスカラの塗布方法では、一般にはマスカラブラシを使うところを、口紅用の平筆１を使うようにした。平筆１は、穂が平らたい筆で、一般にリップブラシと呼ばれている。
【００２７】
図１の（ａ）に示すように、実施形態に係るマスカラの塗布方法では、まず、平筆１に、手の甲にたっぷり出したマスカラ液を取る。次に、マスカラ液を取った平筆１の先端を、まつ毛の根元から約２ミリメートルあけた位置に当てる。そして、平筆１の先端を使って、矢印で示すように平筆１の先端でまつ毛をなでるようにして、まつ毛の根元から毛先に向けて、繊細にマスカラを塗っていく。
【００２８】
図１の（ｂ）に示すように、実施形態に係るマスカラの塗布方法では、前述した塗布方法で、まつ毛の中央から目頭又は目じりへと順番に、繊細にマスカラを塗っていく。例えば、上まつ毛にマスカラを塗る場合には、黒目の上のまつ毛から、矢印で示すように、目頭の方のまつ毛、そして目じりの方のまつ毛へと順番に、繊細にマスカラを塗っていく。このとき、点線で示す目頭近くのまつ毛に、マスカラを塗らないようにする。
【００２９】
図２は、実施形態に係る口紅の塗布方法の説明図である。図２に示すように、実施形態に係る口紅の塗布方法では、一般にはリップブラシを使うところを、アイシャドウ用のチップ２を使うようにした。チップ２は、小指の先ぐらいの大きさのスポンジで、一般にアイシャドウチップと呼ばれている。
【００３０】
図２の（ａ）に示すように、実施形態に係る口紅の塗布方法では、まず、チップ２に口紅を取る。そして、口紅を取ったチップ２を、下唇の中央に、とんとんと軽く押し当てて、チップ２の幅の分だけランダムに塗る。このとき、点線で示す口角から３〜４ミリメートルの範囲に、口紅を塗らないようにする。
【００３１】
図２の（ｂ）に示すように、次に、チップ２に口紅を足さずに、上唇中央の山部分を塗る。このとき、口紅を伸ばさずに、チップ２をとんとんと軽く押し当てて塗ると決めすぎずカジュアルな雰囲気、いわゆるラフ感が出るとともに、素肌感を残した、いわゆるヌケ感が生まれる。
【００３２】
図２の（Ｃ）に示すように、次に、チップ２の先端部分を、上唇の中央から端に向かってとんとんと軽く押し当てて、口紅をぼかす。続いて、チップ２の先端部分を、下唇の中央から端に向かってとんとんと軽く押し当てて、口紅をぼかす。このとき、チップ２に口紅を足さずに、チップ２に余った分の口紅で塗ると、自然に唇の中央が濃い仕上がりになる。
【００３３】
以上のように構成されたマスカラの塗布方法では、口紅用の平筆１でマスカラを塗るようにしたので、マスカラブラシのように、マスカラブラシをまつ毛の根元に当てながら左右に揺らすように動かさなくてすむ。そのため、マスカラがだまになりにくく、まつ毛も束になりにくい。
【００３４】
さらに、以上のように構成されたマスカラの塗布方法では、マスカラをまつ毛の中央から目頭又は目じりの順番で塗るようにしたので、自然にまつ毛の中央が濃い仕上がりになり、黒目がはっきり大きく見える。
【００３５】
また、以上のように構成された口紅の塗布方法では、アイシャドウ用のチップ２で口紅を塗るようにして、チップ２の先端部分を使って口紅をぼかすので、一般的な口紅の塗布方法のように口紅に指紋が付かない。
【００３６】
以上、この発明の実施形態について説明したが、この発明は前記実施形態には限定されない。例えば、実施形態に係るマスカラの塗布方法では、塗り方として平筆１の先端をまつ毛の根元から約２ミリメートルあけた位置に当てることや、平筆１の先端でまつ毛をなでるようにしてまつ毛の根元から毛先に向けてマスカラを塗っていくことなどと説明したが、口紅用の平筆１でマスカラを塗れば、前記実施形態とは異なる塗り方でも構わない。
【００３７】
同様に、実施形態に係る口紅の塗布方法でも、塗り方を詳細に説明したが、アイシャドウ用のチップ２で口紅を塗れば、前記実施形態とは異なる塗り方でも構わない。
【００３８】
この発明において口紅用の平筆１とは、一般にリップブラシと呼ばれているものをいう。
【００３９】
この発明においてアイシャドウ用のチップ２とは、一般にアイシャドウチップと呼ばれているものをいう。
【００４０】
この発明において、まつ毛の中央から目頭又は目じりの順番で塗るとは、まつ毛の中央、言い換えると黒目の上下のまつ毛から塗り始めることをいう。例えば、上まつげと下まつ毛の中央を塗ってから、上まつげ目頭又は目じり、そして下まつげ目頭又は目じりの順番で塗っても、前記実施形態のように、上のまつ毛の全体を塗ってから、下まつげの順番で塗っても構わない。
【符号の説明】
【００４１】
１  平筆
２  チップ
【図１】
2014140572.tif 000003
【図２】
2014140572.tif 000004